(57)【要約】【課題】テレビ放送受像機において表示される文字情報の視認性向上を行う。【解決手段】視認性向上処理のエッジ強調処理は、まず文字抽出部が、フレーム画像中に含まれる文字を抽出し（Ｓ２１）、各文字領域部（Ａ１〜Ａ３）にグループ化された文字グループ毎に、抽出した文字の大きさの平均値ａを算出する（Ｓ２２）。画質処理部の処理決定部は、文字の大きさの平均値ａが同一の文字グループ同士を同一のバッファ用グループにまとめ（Ｓ２３）、文字バッファ部に格納する（Ｓ２４）。処理決定部は、バッファ用グループ毎に、文字の大きさの平均値ａと所定の閾値ａ０とを比較する（Ｓ２５）。比較の結果、平均値ａが閾値ａ０以下のとき、処理反映部は、文字部分に対してエッジ強調処理を施す（Ｓ２４）。【選択図】図３
2009100270.tif 000002
【特許請求の範囲】
【請求項１】
映像に含まれる文字を抽出する抽出工程と、
抽出した前記文字の属性を判別する属性判別工程と、
前記文字の属性に応じて、映像が表示される表示手段の画質を調整する調整工程と、
前記画質が調整された映像を前記表示手段に出力する出力工程と、
を有することを特徴とする映像編集方法。
【請求項２】
前記抽出工程は、前記映像において文字が含まれる所定の大きさの領域を文字領域として抽出し、
前記調整工程は、前記文字領域の画質を調整することを特徴とする請求項１に記載の映像編集方法。
【請求項３】
前記抽出工程は、前記映像に含まれる文字を、グループ単位の文字領域で抽出し、
前記属性判別工程は、前記抽出した文字を前記グループ単位で属性を判別し、
前記調整工程は、前記グループ単位の文字領域ごとに画質を調整し、
前記出力工程は、グループ毎に調整された文字を前記映像に合成して出力する
ことを特徴とする請求項２に記載の映像編集方法。
【請求項４】
前記調整工程は、前記抽出した文字の大きさが、所定の大きさより小さいときに、前記文字のエッジを強調することを特徴とする請求項１から３までのいずれか１項に記載の映像編集方法。
【請求項５】
前記調整工程は、前記抽出した文字のコントラストが所定値より小さいときに、コントラストをあげることを特徴とする請求項１から４までのいずれか１項に記載の映像編集方法。
【請求項６】
前記調整工程は、前記抽出した文字の色の濃さが所定値より小さいときに、色の濃さをあげることを特徴とする請求項１から５までのいずれか１項に記載の映像編集方法。
【請求項７】
前記グループ単位で判別された属性が同じである場合に、前記同じ属性のグループを同一グループとするグループ形成工程を有し、
前記調整工程は、前記同一グループ毎に同一種類の画質調整の処理を実行することを特徴とする請求項１から６までのいずれか１項に記載の映像編集方法。
【請求項８】
映像に含まれる文字を抽出する文字抽出手段と、
抽出した前記文字の属性を判別する属性判別手段と、
前記文字の属性に応じて、映像が表示される表示手段の画質を調整する画質調整手段と、
前記画質が調整された映像を前記表示手段に出力する表示出力手段と、
を有することを特徴とするテレビ放送受信機。
【請求項９】
前記文字抽出手段は、前記映像において文字が含まれる所定の大きさの領域を文字領域として抽出し、
前記調整手段は、前記文字領域の画質を調整することを特徴とする請求項８に記載のテレビ放送受信機。
【請求項１０】
前記文字抽出手段は、前記映像に含まれる文字をグループ単位の文字領域で抽出し、
前記属性判別手段は、前記抽出した文字を前記グループ単位で属性を判別し、
前記画質調整手段は、前記グループ単位の文字領域ごとに画質を調整し、
前記表示出力手段は、グループ毎に調整された文字を前記映像に合成して出力する
ことを特徴とする請求項９に記載のテレビ放送受信機。
【請求項１１】
前記画質調整手段は、前記抽出した文字の大きさが、所定の大きさより小さいときに、前記表示手段におけるシャープネスの設定をあげることを特徴とする請求項８から１０までのいずれか１項に記載のテレビ放送受信機。
【請求項１２】
前記画質調整手段は、前記抽出した文字のコントラストが所定値より小さいときに、前記表示手段におけるコントラストの設定をあげることを特徴とする請求項８から１１までのいずれか１項に記載のテレビ放送受信機。
【請求項１３】
前記画質調整手段は、前記抽出した文字の色の濃さが所定値より小さいときに、前記表示手段における色の濃さの設定を、濃くすることを特徴とする請求項８から１２までのいずれか１項に記載のテレビ放送受信機。
【請求項１４】
前記画質調整手段は、前記グループ単位で判別された属性が同じである場合に、前記同じ属性のグループを同一の作業用バッファに記憶し、
前記画質調整手段は、前記同一の作業用バッファに記憶されている前記文字領域に対して同一の画質調整の処理を施すことを特徴とする請求項８から１３までのいずれか１項に記載のテレビ放送受信機。
【発明の詳細な説明】
【技術分野】
【０００１】
本発明は、映像編集方法およびテレビ放送受信機に係り、特に表示される文字情報部分の表示画質を変更する映像編集方法およびテレビ放送受信機に関する。
【背景技術】
【０００２】
テレビ放送において、コマーシャル（以下、「ＣＭ」という）やニュース番組、料理番組などで、テロップや字幕スーパーを用いて文字情報が表示されることがある。また、映画のコンテンツでは、台詞の翻訳文を字幕として表示されることが多い。
【０００３】
一方、近年のテレビの視聴するスタイルとして、何か他の作業を行いながら見る、いわゆる「ながら視聴」が増えている。こうした背景を踏まえると、例えばパーソナルコンピュータ（以下、単に「ＰＣ」という）で作業をしながらニュースを見ているときに、あるいは料理をしながら料理番組を見ているときに、自分の興味のある内容がテレビに表示された瞬間に、ユーザはテレビの方に目を向けることが想定される。
【０００４】
このような状況にあっては、視聴者はテレビに目を向けた瞬間にニュースのテロップを素早く読んだり、料理のレシピを素早く見たりすることになる。あるいは、映画のエンドロールの細かい文字などは、単に読みづらい状態で表示されることもある。
【０００５】
このようなときに、文字情報をより見やすく、読みやすく表示することで視聴者の理解の助けとなる。
【０００６】
そこで表示装置等に表示される文字情報を見やすくする技術として、文字放送やＰＣなどの文字信号をテレビ放送受信機の画面上に映す場合に、画面上における文字周辺の輝度を下げて、文字の視認性を向上させる技術がある（例えば、特許文献１参照）。
【特許文献１】特開昭６１−２６９５７３号公報
【発明の開示】
【発明が解決しようとする課題】
【０００７】
ところで、特許文献１に開示の技術では、文字周辺の輝度を下げるため文字以外の動画部分に悪影響を及ぼしてしまうことがある。また、対象となる文字は、垂直帰線消去期間（ＶＢＩ）に重畳された文字放送のみであり、映像自体に含まれる文字情報に対しては適用できない。
【０００８】
本発明は、このような状況に鑑みなされたものであって、その目的は、視聴者が文字を認識しやすくする技術を提供することにある。
【課題を解決するための手段】
【０００９】
本発明のある態様は、映像編集方法に関する。この方法は、映像に含まれる文字を抽出する抽出工程と、抽出した前記文字の属性を判別する属性判別工程と、前記文字の属性に応じて、映像が表示される表示手段の画質を調整する調整工程と、前記画質が調整された映像を前記表示手段に出力する出力工程と、を有する。
また、前記抽出工程は、前記映像において文字が含まれる所定の大きさの領域を文字領域として抽出し、前記調整工程は、前記文字領域の画質を調整してもよい。
また、前記抽出工程は、前記映像に含まれる文字を、グループ単位の文字領域で抽出し、前記属性判別工程は、前記抽出した文字を前記グループ単位で属性を判別し、前記調整工程は、前記グループ単位の文字領域ごとに画質を調整し、前記出力工程は、グループ毎に調整された文字を前記映像に合成して出力してもよい。
また、前記調整工程は、前記抽出した文字の大きさが、所定の大きさより小さいときに、前記文字のエッジを強調してもよい。
前記調整工程は、前記抽出した文字のコントラストが所定値より小さいときに、コントラストをあげてもよい。
また、前記調整工程は、前記抽出した文字の色の濃さが所定値より小さいときに、色の濃さをあげてもよい。
また、前記グループ単位で判別された属性が同じである場合に、前記同じ属性のグループを同一グループとするグループ形成工程を有し、前記調整工程は、前記同一グループ毎に同一種類の画質調整の処理を実行してもよい。
本発明の別の態様は、テレビ放送受信機に関する。このテレビ放送受信機は、映像に含まれる文字を抽出する文字抽出手段と、抽出した前記文字の属性を判別する属性判別手段と、前記文字の属性に応じて、映像が表示される表示手段の画質を調整する画質調整手段と、前記画質が調整された映像を前記表示手段に出力する表示出力手段と、
を有する。
また、前記文字抽出手段は、前記映像において文字が含まれる所定の大きさの領域を文字領域として抽出し、前記調整手段は、前記文字領域の画質を調整してもよい。
また、前記文字抽出手段は、前記映像に含まれる文字をグループ単位の文字領域で抽出し、前記属性判別手段は、前記抽出した文字を前記グループ単位で属性を判別し、前記画質調整手段は、前記グループ単位の文字領域ごとに画質を調整し、前記表示出力手段は、グループ毎に調整された文字を前記映像に合成して出力してもよい。
また、前記画質調整工程は、前記抽出した文字の大きさが、所定の大きさより小さいときに、前記表示手段におけるシャープネスの設定をあげてもよい。
また、前記画質調整手段は、前記抽出した文字のコントラストが所定値より小さいときに、前記表示手段におけるコントラストの設定をあげてもよい。
また、前記画質調整手段は、前記抽出した文字の色の濃さが所定値より小さいときに、前記表示手段における色の濃さの設定を、濃くしてもよい。
また、前記画質調整手段は、前記グループ単位で判別された属性が同じである場合に、前記同じ属性のグループを同一の作業用バッファに記憶し、前記画質調整手段は、前記同一の作業用バッファに記憶されている前記文字領域に対して同一の画質調整の処理を施してもよい。
【発明の効果】
【００１０】
本発明によれば、文字の属性に応じて、文字の領域部分に画像処理を施すため、視聴者が文字を認識しやすくできる。
【発明を実施するための最良の形態】
【００１１】
次に、本発明を実施するための最良の形態（以下、単に「実施形態」という）を、図面を参照して具体的に説明する。本実施形態では、ユーザがテレビ放送を視聴するときに、表示される文字の視認性を向上させる。なお、表示画面に表示される全体画像をフレーム画像と呼び、フレーム画像の一部分のみの画像を部分画像（または抽出画像）と呼ぶ。
【００１２】
また、その処理のために、映像を解析して映像中に含まれる文字を特定する。そして、特定した文字に対してその文字の属性に応じてシャープネス、スケーリングフィルタ、コントラスト、カラー（色の濃さ）等に関する画像処理を施す。なお、文字の属性とは、文字の大きさ、色、コントラスト、輝度等であるが、これに限る趣旨ではなく視認性に関連する特性であれば様々に適用可能である。また、その画像処理のときには、表示される文字を文字の大きさ等によりグループ化して、グループ毎に所定のバッファに記憶して、グループ毎に適切と推定される処理を施す。
【００１３】
図１は、本実施形態に係るテレビ放送受像機１０の機能ブロック図である。テレビ放送受像機１０は、各構成要素を統括的に制御する主制御部１２と、チューナ１３と、表示制御部１５と、表示部２０と、画質設定部４０とを備える。さらに、テレビ放送受像機１０は、ＤＶＤプレーヤ１８や図示しないＰＣなどの外部装置から映像信号や音声信号を取得する外部入力部１４と、リモコン１７等の操作手段からユーザの指示を受け付けるユーザインタフェイス部１６とを備える。
【００１４】
チューナ１３は、アンテナ１１に接続され放送波を受信して所定の番組を復調・復号する。表示制御部１５は、液晶パネルやブラウン管などの表示部２０に表示するための画像データを生成したり、必要に応じて映像バッファにおいて画像データの画質を調整したりする。また、表示制御部１５は、表示部２０に表示すべき画像のソースとして、チューナ１３または外部入力部１４を選択するセレクタ機能を有する。
【００１５】
画質設定部４０は、テレビ放送受像機１０の表示部２０に表示される画像の画質を調整する。ここで調整する画質は、例えば、明るさ（輝度）や、シャープネス、コントラスト、色合い、ノイズリダクションの強弱等である。
【００１６】
また、画質設定部４０は、本実施形態に特徴的な機能の一つとして、放送に含まれる文字が表示されるときに、文字の視認性を向上させる機能を有している。より具体的には、画質設定部４０は、文字抽出部４１と、文字切り出し部４２と、画質処理部４３と、バッファ合成部４４とを有する。
【００１７】
文字抽出部４１は、色情報クラスタリング処理、２値化処理、ノイズ除去処理等を施して文字を抽出する。これら処理は公知の技術を用いて実現でき、例えば、特開２００２−４２０５５号に開示の技術を利用できる。また、文字抽出部４１は、抽出した文字をグループ化する。このグループは、一般的なＯＣＲ（光学文字認識）による手法を用いて実現できる。なお、文字及びその周囲部分とからなる文字領域部分の画像データには、フラグとしてグループ番号が付与される。
【００１８】
図２は、処理の対象となる画像例を示している。図２（ａ）は、処理の対象の原画像である１枚のフレーム画像ＦＩを示しており、表示制御部１５が備える映像バッファに格納される。ここでは、ＸＹＺ放送局のチャンネルでニュース番組が放送されており、画面右上の第１の文字領域部Ａ１にはニュース番組のタイトルが、さらにその下の第２の文字領域部Ａ２にはニュース番組の次の番組がスポーツ番組である旨が表示されている。そして画面の下側の第３の文字領域部Ａ３に、ニュースの内容として株価に関する文字情報が表示されている。そして、第１の文字領域部Ａ１にはグループ番号「１」、第２の文字領域部Ａ２にはグループ番号「２」、第３の文字領域部Ａ３にはグループ番号「３」がそれぞれ付与される。
【００１９】
文字切り出し部４２は、図２（ａ）に示すフレーム画像から、グループ単位で文字領域を切り出し、画質処理部４３が備える専用の文字バッファ部４６に格納する。文字バッファ部４６は、第１〜第ｎの文字バッファ部４６−１〜４６−ｎのｎ個のバッファ領域から構成されている。そして例えば、図２（ｂ）に示すように、グループ番号「１」のデータが第１の文字バッファ部４６−１、グループ番号「２」のデータが第２の文字バッファ４６−２、グループ番号「３」のデータが第３の文字バッファ部４６−３に収納される。そして、各バッファに収納されたデータに対する後述の処理が同一となるグループは、同一の文字バッファにまとめられる。例えば、グループ番号「１」及び「２」に施す処理が同一の場合は、図２（ｃ）に示す様に、グループ番号「１」及び「２」を第１の文字バッファ部４６−１にまとめる。
【００２０】
なお、抽出した文字を所定の文字領域部にグループ化されたものを「文字グループ」といい、複数の文字領域部をバッファに格納するためにグループ化されたものを、「バッファ用グループ」という。
【００２１】
画質処理部４３は、処理決定部４５と、文字バッファ部４６と、処理反映部４７とを備える。
【００２２】
処理決定部４５は、切り出した文字に対してどのような画像処理を施すかを決定し、処理反映部４７は、決定された画像処理を切り出した文字に施す。
【００２３】
どのような画像処理を施すかは、フレーム画像全体の面積に対する文字部分の面積及び文字数から文字の大きさを判断して、画質処理をかける度合いを決定する。画質処理として、エッジ強調処理、コントラスト増加処理、文字濃度調整処理の３つの処理を行う。
【００２４】
エッジ強調処理として、文字の大きさが小さいほど、シャープネス処理及びハイパスフィルタ等を用いたフィルタリング処理によってエッジを強調して視認しやすくする。また、コントラスト増加処理として、文字部分とその周囲の背景部分のコントラストを比較して、両者のコントラスト差が一定閾値よりも小さければ、コントラストをあげて文字を見やすくする。また、文字濃度調整処理として、文字部分とその周囲の背景部分の色の濃さを比較して、両者の色の濃さが一定閾値より近ければコントラスト及びカラーをあげて文字を見やすくする。なお、ここでは「色の濃さ」とは、「彩度」をいうが、これに限る趣旨ではなく、テレビ放送受像機１０の画像設定の項目として設けられている「濃さ」の設定に関する処理を文字濃度調整処理としてもよい。
【００２５】
バッファ合成部４４は、処理が施された文字を本来表示されるフレーム画像に反映させる。なお、バッファ合成部４４による合成処理は、もとのフレーム画像のデータに差分を反映させる処理であってもよいし、文字領域部分のデータを差し替える処理であってもよい。そして、表示制御部１５は、合成されたフレーム画像を表示部２０に出力する。
【００２６】
なお、主制御部１２や表示制御部１５、画質設定部４０等の各構成要素は、例えば、ＣＰＵ（中央演算装置）等のＬＳＩ（大規模集積回路）やメモリで構成され、メモリに記憶されたプログラムが実行されることで、各機能が実現される。
【００２７】
以上の構成によるテレビ放送受像機１０における文字情報の視認性向上処理について説明する。図３は、視認性向上処理の流れを示すフローチャートであり、より具体的な処理は図４〜６に示している。図４はエッジ強調処理の流れを示すフローチャート、図５及び図６はコントラスト処理の流れを示すフローチャート、図７及び図８は文字濃度調整処理の流れを示すフローチャートである。また、図９は、視認性向上処理の流れをテレビ放送受像機１０の構成に関連づけて示した模式図である。なお、視認性向上処理は、ユーザが予めテレビ放送受像機１０の画質設定モード等の設定画面で、この視認性向上処理の実行を選択している場合、または、テレビ放送受像機１０を視聴中にリモコン１７などにより視認性向上処理を行うように操作したときに実行される。
【００２８】
視認性向上処理の概略の流れとして、チューナ１３や外部入力端子１４などの映像入力部で取得された映像（フレーム画像）が表示制御部１５の映像バッファに一時的に記憶され、文字抽出部４１がフレーム画像中に文字が含まれているか否かを判断する（Ｓ１０）。フレーム画像中に文字が含まれていない場合には（Ｓ１０のＮ）、このフレーム画像に対する処理は終了する。
【００２９】
フレーム画像中に文字が含まれている場合には（Ｓ１０のＹ）、エッジ強調処理（Ｓ２０）、コントラスト増加処理（Ｓ３０）、及び文字濃度調整処理（Ｓ４０）が順になされる。以下、それらの処理（Ｓ２０，Ｓ３０，Ｓ４０）について具体的に説明する。
【００３０】
まず、図４にもとづいてＳ２０のエッジ強調処理について説明する。  
文字抽出部４１は、フレーム画像中に含まれる文字を抽出し（Ｓ２１）、各文字領域部（図２ではＡ１〜Ａ３）にグループ化された文字グループ毎に、抽出した文字の大きさの平均値ａを算出する（Ｓ２２）。
【００３１】
画質処理部４３の処理決定部４５は、文字の大きさの平均値ａが同一（または所定の範囲内）の文字グループ同士を同一のバッファ用グループにまとめ（Ｓ２３）、文字バッファ部４６に格納する（Ｓ２４）。
【００３２】
処理決定部４５は、バッファ用グループ毎に、文字の大きさの平均値ａと所定の閾値ａ０とを大小比較する（Ｓ２５）。比較の結果、平均値ａが閾値ａ０以下のとき、処理反映部４７は、文字部分に対してエッジ強調処理を施す（Ｓ２６）。このエッジ強調処理は、通常の機能としてテレビ放送受像機１０が有するシャープネス等の設定における、１レベルのあげる処理などである。エッジ強調処理後、処理反映部４７は、閾値ａ０を１ポイント下げ（Ｓ２７）、Ｓ２３の比較のステップに戻り、平均値ａが閾値ａ０を超えるまでＳ２５〜Ｓ２７の処理が、各文字バッファ部４６毎に繰り返される。なお、平均値ａと閾値ａ０の差に応じて、施すエッジ強調処理のレベルを予め設定している場合、Ｓ２６は１度で終了する。
【００３３】
Ｓ２５の処理で、文字の大きさの平均値ａが所定の閾値ａ０より大きい場合（Ｓ２５のＮ）、このエッジ強調処理は終了し、図５又は図６に示すコントラスト増加処理に移る。
【００３４】
図５に示すコントラスト増加処理が開始されると、まず、処理決定部４５は、文字部分とその周囲のコントラストの差ｂを算出する（Ｓ３１）。そして、コントラスト差ｂが同じ文字領域のものを、同一のグループとするグループ化を行い（Ｓ３２）、グループ単位で文字バッファ部４６に格納する（Ｓ３３）。
【００３５】
つづいて、処理決定部４５はコントラストの差ｂが所定の閾値ｂ０と大小比較する（Ｓ３４）。
【００３６】
コントラストの差ｂが所定の閾値ｂ０以下の場合（Ｓ３４のＹ）、処理決定部４５は文字部分のコントラストを増加させ（Ｓ３５）、閾値ｂ０を１ポイント小さくして（Ｓ３６）、Ｓ３４の処理に戻る。このコントラストを増加させる処理は、通常の機能としてテレビ放送受像機１０が有するコントラスト設定における、１レベルのあげる処理である。そして、コントラストの差ｂが所定の閾値ｂ０より大きくなるまで、Ｓ３４〜Ｓ３６の処理を継続する。コントラストの差ｂが所定の閾値ｂ０より大きい場合（Ｓ３４のＮ）、処理決定部４５はコントラスト増加処理を終了し、図６の文字濃度調整処理に移る。なお、コントラストの差ｂと閾値ｂ０との差に応じて、コントラストを増加させるレベルが予め設定されている場合は、S３５の処理は１度で終了する。
【００３７】
図６は、図５の処理の変形例を示している。図５の処理では、コントラストの差ｂと閾値ｂ０の差の算出工程が１度であり、処理速度の観点で非常に有利であるが、コントラスト増加処理の結果が評価されない。そこで、図６に示す処理では、図５におけるＳ３５のコントラスト増加処理が終了したら、Ｓ３１のコントラストの差ｂを算出する工程に戻り、以降の処理を継続し、Ｓ３４の処理で、コントラストの差ｂが閾値ｂ０を超えたら図７又は図８の文字濃度調整処理に移る。
【００３８】
図７の文字濃度調整処理が開始されると、まず、処理決定部４５は、文字部分とその周囲の色との濃さの差ｃを算出する（Ｓ４１）。そして、濃さの差ｃが同じ文字領域のものを、同一のグループとするグループ化を行い（Ｓ４２）、グループ単位で文字バッファ部４６に格納する（Ｓ４３）。
【００３９】
つづいて、処理決定部４５は色の濃さの差ｃが所定の閾値ｃ０と大小比較する（Ｓ４４）。
【００４０】
色の濃さの差ｃが所定の閾値ｃ０以下の場合（Ｓ４４のＹ）、処理決定部４５は文字部分のコントラストを増加させ（Ｓ４５）、さらに文字部分の色の濃さを増加させる（Ｓ４６）。Ｓ４５及びＳ４６の処理は、通常の機能としてテレビ放送受像機１０が有するコントラスト設定や色の濃さの設定における、１レベルの上げる処理である。なお、ここで実行される処理として、コントラストの増加処理または色の濃さの増加処理のいずれか一方であってもよい。Ｓ４５による色の濃さを増加させる処理が終了すると、処理決定部４５は閾値ｃ０を１ポイント小さくして（Ｓ４７）、Ｓ４４の処理に戻る。
【００４１】
そして、色の濃さの差ｃが所定の閾値ｃ０を超えるまでＳ４４からＳ４７の処理が継続され、色の濃さの差ｃが所定の閾値ｃ０を超えると（Ｓ４４のＮ）、文字濃度調整処理が終了する。
【００４２】
図８は、図７の処理の変形例を示している。図７の処理では、色の濃さの差ｃと閾値ｃ０の差の算出工程が１度であり、処理速度の観点で非常に有利であるが、文字濃度調整処理の結果が評価されない。そこで、図８に示す処理では、図７におけるＳ４５及びS４６の処理が終了したら、Ｓ４１の色の濃さの差ｃを算出する工程に戻り、以降の処理を継続し、Ｓ４４の処理で、色の濃さの差ｃが閾値ｃ０を超えたら終了する。
【００４３】
そして、文字濃度調整処理が終了すると、バッファ合成部４４は、映像バッファに記憶されている映像フレームと、画像処理済みの文字領域とを合成して、表示制御部１５は合成後の映像フレームを表示部２０に出力する。
【００４４】
以上、本実施形態によれば、映像中に文字が含まれる場合に、文字の大きさや、周囲とのコントラスト差、濃度差に応じて、上述のようなエッジ強調処理や、コントラスト増加処理、文字濃度調整処理を実行することで、文字の視認性の向上が図られる。また、表示される文字を文字の大きさ等でグループ化して、グループ毎に施す処理が異なるため、一部のみ視認性が向上し、別の部分の視認性が低下してしまうことが防止される。また、同一処理を施されるグループは、同一のバッファにおいて処理がなされるため、処理の効率化や、実際に利用されるバッファの容量を少なくすることができる。
【００４５】
以上、本発明を実施形態をもとに説明した。この実施形態は例示であり、それらの各構成要素や各処理プロセスの組合せにいろいろな変形例が可能なこと、またそうした変形例も本発明の範囲にあることは当業者に理解されるところである。
【００４６】
例えば、実施形態では、視認性向上の処理として、エッジ強調処理、コントラスト処理、文字濃度調整処理の３種類の処理が実行されたが、全ての処理を実行する必要はなく、一つのみの処理であってもよい。
【図面の簡単な説明】
【００４７】
【図１】本実施形態に係る、テレビ放送受像機の機能ブロック図である。
【図２】本実施形態に係る、視認性向上の処理の対象となる画像例を示した図である。
【図３】本実施形態に係る、視認性向上処理の流れを示すフローチャートである。
【図４】本実施形態に係る、エッジ強調処理の流れを示すフローチャートである。
【図５】本実施形態に係る、コントラスト処理の流れを示すフローチャートである。
【図６】本実施形態に係る、変形例のコントラスト処理の流れを示すフローチャートである。
【図７】本実施形態に係る、文字濃度調整処理の流れを示すフローチャートである。
【図８】本実施形態に係る、変形例の文字濃度調整処理の流れを示すフローチャートである。
【図９】本実施形態に係る、視認性向上処理の流れをテレビの構成に関連づけて示した模式図である。
【符号の説明】
【００４８】
１０  テレビ放送受像機
１２  主制御部
１３  チューナ
１４  外部入力部
１５  表示制御部
２０  表示部
４０  画質設定部
４１  文字抽出部
４２  文字切り出し部
４３  画質処理部
４４  バッファ合成部
４６  文字バッファ部
４７  処理反映部
【図１】
2009100270.tif 000003
【図２】
2009100270.tif 000004
【図３】
2009100270.tif 000005
【図４】
2009100270.tif 000006
【図５】
2009100270.tif 000007
【図６】
2009100270.tif 000008
【図７】
2009100270.tif 000009
【図８】
2009100270.tif 000010
【図９】
2009100270.tif 000011